(57)【要約】【課題】簡単な構成で、優れた遮炎性、遮煙性、耐火性を有する防火ダンパを提供する。【解決手段】防火ダンパは、筒形状のケーシングと、ケーシングに設けられたダンパ軸と、ダンパ軸に設けられた開閉羽根と、開閉羽根を開状態から閉状態とする駆動部とを有する。ダンパ軸は、当該ダンパ軸の一方の端部が、ケーシングに設けられた軸受部材に遊嵌し且つ回転自在に支持されている。通常温度の場合に、開閉羽根の一方の端部とケーシングの内面との間に隙間が設けられている。閉状態の開閉羽根の一方の端部とケーシングの内面との間の隙間を塞ぐように、ケーシングの内面に、又は／及び開閉羽根の一方の端部に、閉塞部が設けられている。【選択図】図４
2020109333.tif 000002
【特許請求の範囲】
【請求項１】
筒形状のケーシングと、
前記ケーシングに設けられたダンパ軸と、
前記ダンパ軸に設けられ、前記ダンパ軸の回転に応じて前記ケーシング内の流路を開閉自在な開閉羽根と、
前記開閉羽根を開状態から閉状態とする駆動部と、を有し、
前記ダンパ軸は、当該ダンパ軸の一方の端部が、前記ケーシングに設けられた軸受部材に遊嵌するとともに回転自在に支持され、
通常温度の場合に、前記開閉羽根の一方の端部と前記ケーシングの内面との間に隙間が設けられ、
閉状態の前記開閉羽根の一方の端部と前記ケーシングの内面との間の前記隙間を塞ぐように、前記ケーシングの前記内面に、又は／及び前記開閉羽根の前記一方の端部に、閉塞部が設けられている
ことを特徴とする防火ダンパ。
【請求項２】
前記隙間は、想定される使用環境の最大温度における、熱膨張による、前記開閉羽根の軸方向の長さの伸びと同じ又は前記伸びよりも僅かに長く設定されている
ことを特徴とする請求項１に記載の防火ダンパ。
【請求項３】
前記ケーシングは、断面矩形状又は断面円形状であることを特徴とする請求項１または請求項２に記載の防火ダンパ。
【請求項４】
前記閉塞部は、前記ケーシングに設けられた第１の閉塞部と、前記開閉羽根に設けられた第２の閉塞部とを有することを特徴とする請求項１に記載の防火ダンパ。
【発明の詳細な説明】
【技術分野】
【０００１】
本発明は、防火ダンパに関する。
【背景技術】
【０００２】
空調ダクトにおいて、火災時の延焼防止や熱い空気の噴出を防止するために、ダクトの中間に設けられる空調ダクト用防火ダンパが知られている（例えば、特許文献１参照）。一般的な空調ダクト用防火ダンパは、ケーシング内に複数のダンパ軸が設けられ、そのダンパ軸に開閉羽根が設けられている。
【先行技術文献】
【特許文献】
【０００３】
【特許文献１】特開２０１５−１１４０９０号公報
【発明の概要】
【発明が解決しようとする課題】
【０００４】
ところで、原子力発電所設備における新規制基準では、「原子炉の高温停止及び低温停止に係る安全機能を有する構造物、系統及び機器を設置する火災区域については、３時間以上の耐火能力を有する耐火壁によって他の火災区域から分離すること」、「放射性物質の貯蔵又は閉じ込め機能を有する構造物、系統及び機器が設置される火災区域については、３時間以上の耐火能力を有する耐火壁によって他の火災区域から分離すること」等が要求されている。
【０００５】
しかしながら、一般的な防火ダンパは、例えば火災などで長時間（３時間等）、遮炎性、遮煙性等を維持することは困難である。
このため、火災時、長時間高温状態が続いた場合であっても、遮炎性、遮煙性、耐火性を維持できる防火ダンパが望まれている。
【課題を解決するための手段】
【０００６】
本発明の防火ダンパは、少なくとも以下の構成を具備するものである。
防火ダンパは、筒形状のケーシングと、
前記ケーシングに設けられたダンパ軸と、
前記ダンパ軸に設けられ、前記ダンパ軸の回転に応じて前記ケーシング内の流路を開閉自在な開閉羽根と、
前記開閉羽根を開状態から閉状態とする駆動部と、を有し、
前記ダンパ軸は、当該ダンパ軸の一方の端部が、前記ケーシングに設けられた軸受部材に遊嵌するとともに回転自在に支持され、
通常温度の場合に、前記開閉羽根の一方の端部と前記ケーシングの内面との間に隙間が設けられ、
閉状態の前記開閉羽根の一方の端部と前記ケーシングの内面との間の前記隙間を塞ぐように、前記ケーシングの前記内面に、又は／及び前記開閉羽根の前記一方の端部に、閉塞部が設けられていることを特徴とする。
【発明の効果】
【０００７】
本発明によれば、簡単な構成で、優れた遮炎性、遮煙性、耐火性を有する防火ダンパを提供することができる。
【図面の簡単な説明】
【０００８】
【図１】本発明の一実施形態に係る防火ダンパの一例を示す図、図１（ａ）は開閉羽根が開状態の防火ダンパの平面図であり、図１（ｂ）は正面図である。
【図２】図２（ａ）は図１（ｂ）に示した開閉羽根が開状態の防火ダンパの側面図、図２（ｂ）は開状態の開閉羽根、ダンパ軸、及び連結部材の一例を示す図である。
【図３】本発明の一実施形態に係る防火ダンパの開閉羽根及びダンパ軸の一例を示す断面概念図である。
【図４】図４（ａ）は通常温度時のダンパ軸および開閉羽根の一例を示す図、図４（ｂ）は熱膨張状態のダンパ軸および開閉羽根の一例を示す図、図４（ｃ）はケーシングの内面から突出するように設けられた閉塞部の一例を示す図である。
【図５】本発明の一実施形態に係る防火ダンパの閉塞部の一例を説明するための図である。
【図６】開閉羽根が閉状態の防火ダンパの一例を示す図、図６（ａ）は平面図であり、図６（ｂ）は正面図である。
【図７】図７（ａ）は開閉羽根が閉状態の防火ダンパの側面図、図７（ｂ）は閉状態の開閉羽根、ダンパ軸、及び連結部材の一例を示す図である。
【図８】本発明の一実施形態に係る防火ダンパの一例を示す図、図８（ａ）は開閉羽根が開状態の防火ダンパの正面図であり、図８（ｂ）は防火ダンパの透過側面図である。
【図９】図８に示す防火ダンパの閉状態の一例を示す図であり、図９（ａ）は防火ダンパの一部分の斜視図、図９（ｂ）は図９（ａ）に示したＡ部分の拡大斜視図である。
【図１０】本発明の一実施形態に係る防火ダンパの一例を示す図、図１０（ａ）は開閉羽根が閉状態の防火ダンパの平面図であり、図１０（ｂ）は防火ダンパの正面図であり、図１０（ｃ）は図１０（ｂ）の防火ダンパの透過側面図である。
【図１１】防火ダンパの一例を説明するための概念図、図１１（ａ）は防火ダンパの一部分を示す斜視図、図１１（ｂ）は図１１（ａ）に示したＡ部分の拡大斜視図である。
【図１２】図１２（ａ）は防火ダンパのケーシング側閉塞部と開閉羽根と羽根側閉塞部の一例を示す図、図１２（ｂ）は図１２（ａ）のＢ−Ｂ線に沿った断面図である。
【図１３】本発明の一実施形態に係る防火ダンパの通常時と高温時の図１２（ａ）のＣ−Ｃ線に沿った断面図であり、図１３（ａ）は通常時（通常温度時）のケーシング側閉塞部と開閉羽根と羽根側閉塞部の一例を示す概念図、図１３（ｂ）は高温時（熱膨張時）のケーシング側閉塞部と開閉羽根と羽根側閉塞部の一例を示す概念図である。
【発明を実施するための形態】
【０００９】
本発明の一実施形態に係る防火ダンパは、筒形状のケーシングと、ケーシングに設けられたダンパ軸と、ダンパ軸に設けられ、ダンパ軸の回転に応じてケーシング内の流路を開閉自在な開閉羽根と、開閉羽根を開状態から閉状態とする駆動部とを有する。ダンパ軸は、当該ダンパ軸の一方の端部が、ケーシングに設けられた軸受部材に遊嵌するとともに回転自在に支持されている。防火ダンパは、通常温度の場合に、開閉羽根の一方の端部と前記ケーシングの内面との間に隙間が設けられている。この防火ダンパは、開閉羽根の一方の端部とケーシングの内面との間に隙間が設けられている。また、この防火ダンパは、閉状態の開閉羽根の一方の端部とケーシングの内面との間の隙間を塞ぐように、ケーシングの内面に、又は／及び開閉羽根の前記一方の端部に、閉塞部が設けられている。
なお、通常温度（室温等）の場合の上記隙間は、想定される使用環境の最大温度における、熱膨張による、開閉羽根の軸方向の長さの伸びと同じ又は伸びよりも僅かに長く設定されていることが好ましい。
また、開閉羽根が閉状態の場合、開閉羽根と閉塞部の全部又は一部分が重なるように、開閉羽根と閉塞部が形成されていることが好ましい。
本発明に係る防火ダンパは、簡単な構造で、優れた遮炎性、遮煙性、耐火性を有することができる。
【００１０】
なお、本発明に係る防火ダンパは、例えば、空調用ダンパや流体用ダンパ等に適用してもよい。空調用ダンパとしては、例えば空調ダクト用ダンパ等を含んでもよい。流体用ダンパとしては、例えば、液体用ダンパ、気体用ダンパ、燃料用ダンパ、空気用ダンパ等を挙げることができる。
【００１１】
以下、本発明の実施形態の一例を図面に基づいて説明する。なお、実施形態を説明する図面では、原則として同一の構成要素に同一の符号を付し繰り返しの説明を省略する。
【００１２】
＜ケーシングの内面に閉塞部を有する防火ダンパ＞
図１（ａ）は本発明の一実施形態に係る防火ダンパ１０の平面図であり、図１（ｂ）は防火ダンパ１０の正面図である。図２（ａ）は図１（ｂ）に示した開閉羽根が開状態の防火ダンパの側面図、図２（ｂ）は開状態の開閉羽根、ダンパ軸、及び連結部材の一例を示す図である。
【００１３】
＜開状態＞
図１、図２に示した本発明の一実施形態に係る防火ダンパ１０は、ケーシング１１、検査口１１ｋ、ダンパ軸１２（支軸）、開閉羽根１３、駆動部１４、軸受部材１５、連結部材１６、温度ヒューズ１７等を有する。
【００１４】
ケーシング１１は、筒形状に形成されている。ケーシング１１は、耐火能を有する材料、例えば、金属材、セラミック等により形成されている。金属材としては、例えば、鋼板、詳細には溶融亜鉛めっき鋼板等を挙げることができる。ケーシング１１は、例えば、断面矩形状、断面円形状など任意の形状であってもよい。本実施形態では、ケーシング１１は、四角筒形状（断面矩形状）に形成されている。ケーシング１１の側板１１ａの略中央部には検査口１１ｋが形成されている。検査口１１ｋには開閉式の蓋が設けられている。ケーシング１１は、検査口１１ｋを介してケーシング１１内に配置された開閉羽根１３の開閉状態などを視認可能に構成されている。
また、ケーシング１１は、周囲に所定の幅のフランジ１１ｆが形成されており、フランジ１１ｆには所定の間隔で複数の取付用孔１１ｆｈが形成されている。
また、ケーシング１１は、内面（内側面）に閉塞部１１ｓが設けられている。この閉塞部１１ｓは、開閉羽根１３の動きを規制する規制部材（羽根ストッパー）としても機能する。詳細には、ダンパ軸１２が回転し、開閉羽根１３が開状態から閉状態となった場合、ダンパ軸１２がそれ以上回転しないように、閉状態の開閉羽根１３に当接する位置に、閉塞部１１ｓ（規制部材）が設けられている。閉塞部１１ｓの詳細については後述する。また、ケーシング１１の内面の下面には規制部材１１０（羽根ストッパー）が設けられている。この規制部材１１０は、閉状態の下段の開閉羽根１３とケーシング１１の間の隙間を閉塞するとともに、開閉羽根１３の動きを規制する機能を有する。
【００１５】
ケーシング１１内には、１つ又は複数のダンパ軸１２が配置され、ダンパ軸１２の両端部付近が、金属製の軸受部材１５を介してケーシング１１に回転自在に軸支されている。ダンパ軸１２は、耐火能を有する材料、例えば、金属材、セラミック等により形成されている。金属材としては、例えば、ステンレス鋼（ＳＵＳ）等を挙げることができる。
【００１６】
図３に示す例では、ダンパ軸１２は、中空構造の回転軸である。また、ダンパ軸１２は、軸方向に直交する断面形状が例えば四角形状、多角形状、円形状等の形状であることが好ましい。本実施形態では、ダンパ軸１２は、断面形状が四角形状で、中空構造である。ダンパ軸１２の形状や厚みは、ダンパ軸１２の共振周波数や、強度（剛性）の観点から適宜規定される。
また、図４に示すように、ダンパ軸１２の両端部には被支持部１２５（１２）としての円柱部材又は円筒部材が設けられている。被支持部１２５は、ケーシング１１に設けられた軸受部材１５により回転自在に支持されている。
なお、本実施形態では、ダンパ軸１２は中空構造であったが、この実施形態に限られるものではなく、非中空の柱形状であってもよく、詳細には、上記断面形状が例えば円形状、四角形状、多角形状等であってもよい。
【００１７】
ダンパ軸１２には、開閉羽根１３が設けられている。開閉羽根１３は、ダンパ軸１２の回転に応じてケーシング１１内の流路を開閉可能に構成されている。
開閉羽根１３は、耐火能を有する材料、例えば、金属材、セラミック等により形成されている。金属材としては、例えば、鋼板、詳細には溶融亜鉛めっき鋼板等を挙げることができる。本実施形態では、開閉羽根１３は、略板状に形成されており、中央部にダンパ軸１２に対応した屈曲部が形成され、端部に半円弧状等の所定の形状の凸形状部１３ｔ及び凹形状部１３ｕが形成されている。
また、取付部材１３１により、開閉羽根１３がダンパ軸１２に取り付けられている。この取付部材１３１は、ダンパ軸１２に対応した屈曲部を有する。
また、複数の開閉羽根１３が閉状態の場合、開閉羽根１３の凸形状部１３ｔと、その開閉羽根１３に隣接する開閉羽根１３の凹形状部１３ｕとが重なるように、複数の開閉羽根１３が配置されている。
【００１８】
また、複数の開閉羽根１３の端部には、略棒形状又はフラットバー等の連結部材１６が設けられており、この連結部材１６により、複数の開閉羽根１３が連動するように構成されている。詳細には、連結部材１６は、連結部材１６の本体部１６ａが屈曲部材１６ｂを介して開閉羽根１３に接続されている。連結部材１６は、耐火能を有する材料、例えば、金属材、セラミック等により形成されている。金属材としては、例えば、鋼板、詳細には溶融亜鉛めっき鋼板等を挙げることができる。
【００１９】
図１、図２に示すように、ダンパ軸１２には、駆動装置（駆動部１４）が設けられている。
駆動装置（駆動部１４）は、所定の条件を満たした場合、ダンパ軸１２に設けられた開閉羽根１３を開状態から閉状態とする。詳細には、本実施形態では、駆動装置（駆動部１４）は、１つのダンパ軸１２の一端部に設けられたハンドル１４ａを有し、ハンドル１４ａを操作することにより、ダンパ軸１２を回転させることができるとともに、ダンパ軸１２に設けられた開閉羽根１３を開状態又は閉状態とすることができる。
【００２０】
また、駆動装置（駆動部１４）には、温度ヒューズ１７、係止ピン（１７ｐ）、付勢バネ（不図示）が設けられている。温度ヒューズ１７の本体部は、ケーシング１１内に位置するように配置されている。
通常時には、ダンパ軸１２の端部に設けられたハンドル１４ａの一方の端部に設けられた係止部１４ｋと、温度ヒューズ１７の本体部から突出している係止ピン１７ｐとが係止することで、ダンパ軸１２に設けられた開閉羽根１３が開状態に保持されている。通常時には、係止ピン１７ｐは、付勢バネにより温度ヒューズ１７側に付勢されている。
なお、駆動装置（駆動部１４）は、上述した実施形態に限られるものではなく、例えば、作動ガスの圧力に連動して、開閉羽根１３を開状態から閉状態としてもよい。また、駆動装置（駆動部１４）は、管理装置（コンピュータ）や個別のコンピュータ等の制御により、開閉羽根１３を開状態又は閉状態としてもよい。また、駆動装置（駆動部１４）は、防火ダンパから離れた位置に設けられた温度センサ、ガスセンサ、圧力センサ等の検知装置により、正常とは異なる異常状態が検知された場合に、開閉羽根１３を開状態から閉状態としてもよい。
【００２１】
＜閉状態＞
図４（ａ）は通常温度時のダンパ軸および開閉羽根の一例を示す図であり、図４（ｂ）は熱膨張状態のダンパ軸および開閉羽根の一例を示す図であり、図４（ｃ）はケーシングの内面から突出するように設けられた閉塞部の一例を示す図である。図５は本発明の一実施形態に係る防火ダンパの閉塞部の一例を説明するための図である。
【００２２】
図６は開閉羽根が閉状態の防火ダンパの一例を示す図である。詳細には、図６（ａ）は防火ダンパの平面図であり、図６（ｂ）は正面図である。図７（ａ）は開閉羽根が閉状態の防火ダンパの側面図であり、図７（ｂ）は閉状態の開閉羽根、ダンパ軸、及び連結部材の一例を示す図である。
【００２３】
温度ヒューズ１７は、例えば火災発生時など、所定の設定温度以上、例えば７２℃以上で、温度ヒューズ１７の本体部の可溶部分が溶断し、係止ピン１７ｐが付勢バネにより温度ヒューズ１７本体部側に没入する。そして、係止ピン１７ｐがハンドル１４ａの係止部１４ｋと非係止状態となり、ダンパ軸１２が付勢部（不図示）の付勢力により、開閉羽根１３が閉状態となる方向に回転することで、連結部材１６により連結された複数の開閉羽根１３が閉状態となり、ケーシング１１内の流路が遮断される（図６，図７参照）。
【００２４】
また、図４（ａ）、図４（ｃ）に示すように、通常温度（設定温度よりも低い温度、室温等）の場合に、開閉羽根１３の一方の端部とケーシング１１の内面との間に設けられた隙間ＣＬは、室温よりも高温時、例えば、想定される使用環境の最大温度（例えば１１００℃程度）における、熱膨張による、開閉羽根１３の軸方向の長さの伸びＬｃと同じ又は伸びよりも僅かに長く設定されている。
また、図４、図５に示すように、閉塞部１１ｓは、閉状態の開閉羽根１３の一方の端部とケーシング１１の内面との間の隙間ＣＬを塞ぐように、ケーシング１１の内面からケーシング内に突出するように設けられている。閉塞部１１ｓの長さＬ１１ｓ（ケーシング１１の内面から突出する方向の長さ）は、通常温度時の隙間ＣＬと略同じ又はそれよりも僅かに長くなるように設定されている。
また、図５〜図７に示すように、本実施形態では、複数の閉塞部１１ｓがケーシング１１に設けられており、詳細には、閉塞部１１ｓの本体部が、ダンパ軸１２とダンパ軸１２の間に、一直線上に配置され、ダンパ軸近傍の端部が、ダンパ軸１２から離間する方向に、且つ閉塞部１１ｓの本体部の長軸方向に対して傾斜するように、屈曲する屈曲部（１１ｓａ，１１ｓｂ）を有する。
例えば、開閉羽根１３を閉状態にして、ケーシング１１内の流体（気体や液体等）の流れを遮断する場合、この屈曲部（１１ｓａ，１１ｓｂ）により、ダンパ軸１２の端部の被支持部１２５付近の流体の流れを確実に遮断することができる。
【００２５】
＜高温（熱膨張）時＞
図４（ｂ）に示すように、高温時、開閉羽根１３は、熱膨張して、軸方向（ダンパ軸１２の軸方向）の長さが伸びＬｃだけ伸長する。また、ダンパ軸１２および被支持部１２５が熱膨張により軸方向に伸長する。本実施形態では、隙間ＣＬ側のダンパ軸１２の端部の被支持部１２５は、ケーシング１１に設けられた軸受部材１５に遊嵌するとともに回転自在に支持されている。詳細には、ケーシング１１に設けられた軸受部材１５により、回転軸としてのダンパ軸１２が回転自在に軸支されている。また、ダンパ軸１２の端部を支持する軸受部材１５のうち、ケーシング側閉塞部１１１ｓが設けられたケーシング１１の側面側の軸受部材１５は、ダンパ軸１２が軸方向に移動自在に遊嵌され、且つダンパ軸１２を回転自在に軸支している。すなわち、高温時、ダンパ軸１２は、熱膨張により軸方向に伸長可能に形成されている。高温から通常の温度（室温等）になった場合、ダンパ軸１２の軸方向の長さは、元の長さとなる。
なお、本実施形態では、隙間ＣＬと反対側のダンパ軸１２の端部の被支持部１２５は、軸受部材１５に遊嵌することなく、回転自在に支持されている。つまり、ケーシング側閉塞部１１１ｓが設けられていないケーシング１１の側面側の軸受部材１５は、ダンパ軸１２の軸方向の移動を規制し、且つダンパ軸１２を回転自在に軸支している。
【００２６】
本願発明者は、本発明の一実施形態に係る防火ダンパを実際に作製し、防火ダンパによる効果を確認した。
詳細には、本願発明者は、本発明の一実施形態に係る防火ダンパを作製し、約３時間の耐火試験を行った。なお、軸受（軸受部材１５）はＳＵＳなどの金属材、ダンパ軸１２はＳＵＳなどの金属材、連結部材１６はＳＵＳなどの金属材で形成した。
【００２７】
この耐火試験方法および手順は、防火ダンパの性能試験方法であるＪＩＳ  Ａ  １３１４に準拠し、各部分の温度上昇を計測し、構造と材質の妥当性等を確認した。このＪＩＳ  Ａ  １３１４はＩＳＯ８３４−１の標準加熱曲線式を包含する。
詳細には、試験開始後、駆動装置が正常に動作し、開閉羽根の閉鎖を確認した。その後、ＩＳＯ８３４−１に規定された温度カーブに則りつつ下回らないように、温度上昇を行った。その結果、破損、脱落、発火等の不具合は認められず、ＪＩＳ  Ａ  １３１４を満足するものとなった。
このように耐火試験の結果、本発明の実施形態に係る防火ダンパは、ＪＩＳ  Ａ  １３１４を満足することが確認できた。また、３時間の耐火試験の前後において、ＵＬ５５５（ＦＩＲＥ  ＤＡＭＰＥＲ  耐火試験方法  米国）で求められる以下の性能についても満足することが確認できた。
（１）羽根の回転軸に垂直な羽根端とケーシングとの間において、９．５ｍｍを超える目に見える開口がないこと。
（２）羽根の回転軸に平行な羽根端とケーシングとの間において、３．２ｍｍを超える目に見える開口がないこと。
（３）隣接する羽根同士の間に、０．８ｍｍを超える目に見える開口がないこと。
（４）部材間に隙間が１９．１ｍｍを超えないこと。
また、本発明の実施形態に係る防火ダンパは、建築基準法の定めによる防火ダンパに求められる項目「防火ダンパ性能規定と例示仕様」も満たしている。
【００２８】
また、ケーシングと開閉羽根との間の隙間は、ＵＬ５５５で定められた寸法基準内に十分に収まることを確認した。
【００２９】
＜羽根側閉塞部を備えた開閉羽根を有する防火ダンパ＞
次に、図８〜図１３を参照しながら、本発明の一実施形態に係る防火ダンパ１０Ａを説明する。なお、本実施形態を説明する図面では、原則として、図１〜図７に示した実施形態と同一の構成要素に同一の符号を付し繰り返しの説明を省略する。
【００３０】
図８は本発明の一実施形態に係る防火ダンパ１０Ａの一例を示す図である。詳細には、図８（ａ）は開閉羽根が開状態の防火ダンパ１０Ａの正面図であり、図８（ｂ）は開閉羽根が開状態の防火ダンパ１０Ａの透過側面図である。図９（ａ）は図８に示した防火ダンパの開閉羽根の支持付近の斜視図であり、図９（ｂ）は図９（ａ）の開閉羽根の拡大斜視図である。
図１０は開閉羽根が閉状態の防火ダンパ１０Ａの一例を示す図である。詳細には、図１０（ａ）は防火ダンパ１０Ａの平面図、図１０（ｂ）は防火ダンパ１０Ａの正面図、図１０（ｃ）は防火ダンパ１０Ａの透過側面図である。
図１１（ａ）は防火ダンパの一部分を示す斜視図、図１１（ｂ）は図１１（ａ）に示したＡ部分の拡大斜視図である。
図１２（ａ）は防火ダンパのケーシング側閉塞部と開閉羽根と羽根側閉塞部の一例を示す図であり、詳細には図１２（ｂ）は図１２（ａ）のＢ−Ｂ線に沿った断面図である。
図１３は、本発明の一実施形態に係る防火ダンパ１０Ａの通常時と高温時の図１２（ａ）のＣ−Ｃ線に沿った断面図である。詳細には、図１３（ａ）は通常時（通常温度時）のケーシング側閉塞部と開閉羽根と羽根側閉塞部の一例を示す概念図、図１３（ｂ）は高温時（熱膨張時）のケーシング側閉塞部と開閉羽根と羽根側閉塞部の一例を示す概念図である。
【００３１】
本実施形態では、防火ダンパ１０Ａは、筒形状のケーシング１１と、ケーシング１１に設けられたダンパ軸１２と、ダンパ軸１２に設けられた開閉羽根１３と、開閉羽根１３を開状態から閉状態とする駆動部１４とを有する。ダンパ軸１２は、当該ダンパ軸１２の一方の端部が、ケーシング１１に設けられた軸受部材１５に遊嵌し且つ回転自在に支持されている。通常温度の場合に、開閉羽根１３の一方の端部とケーシング１１の内面との間に隙間が設けられている。閉状態の開閉羽根１３の一方の端部とケーシング１１の内面との間の隙間を塞ぐように、ケーシング１１の内面に閉塞部（第１の閉塞部としてのケーシング側閉塞部１１１ｓ）、又は／及び開閉羽根１３の一方の端部（ケーシング側閉塞部１１１ｓ側の端部）に、閉塞部（第２の閉塞部としての羽根側閉塞部３１１ｓ）が設けられている。
図８〜図１３に示す例では、閉塞部は、ケーシング側閉塞部１１１ｓと羽根側閉塞部３１１ｓを有する。
【００３２】
本実施形態では、ケーシング１１に設けられた軸受部材１５により、回転軸としてのダンパ軸１２が回転自在に軸支されている。また、ダンパ軸１２の端部を支持する軸受部材１５のうち、ケーシング側閉塞部１１１ｓが設けられたケーシング１１の側面側の軸受部材１５は、ダンパ軸１２が軸方向に移動自在に遊嵌され、且つダンパ軸１２を回転自在に軸支している。ケーシング側閉塞部１１１ｓが設けられていないケーシング１１の側面側の軸受部材１５は、ダンパ軸１２の軸方向の移動を規制し、且つダンパ軸１２を回転自在に軸支している。
【００３３】
ケーシング側閉塞部１１１ｓは、ケーシング１１の両側面のうち一方の側面の内面に設けられている。また、図８〜図１３に示すように、ケーシング側閉塞部１１１ｓは、ケーシング１１の内面の平坦部１１ｇからケーシング内部側に（Ｘ軸方向に）突出した形状に形成されている。
また、ケーシング側閉塞部１１１ｓは、上下方向（Ｚ軸方向）に沿って延設されている。ケーシング側閉塞部１１１ｓには切欠部１１１ｓｈが設けられている。この切欠部１１１ｓｈは、開閉羽根１３が閉状態のとき、羽根側閉塞部３１１ｓの端部３１１ｓｈが嵌合するように形成されている（図１１等参照）。
【００３４】
また、羽根側閉塞部３１１ｓの端部３１１ｓｈ（ダンパ軸１２から遠い端部）は、開閉羽根１３が閉じる方向に屈曲した形状に形成されており、切欠部１１１ｓｈに嵌合可能に構成されている。
【００３５】
また、図１１に示すように、羽根側閉塞部３１１ｓは、ダンパ軸１２に近い端部３１１ｓｋが、羽根側閉塞部本体部から延出してダンパ軸１２を越えて、開閉羽根１３が閉じる方向に屈曲した形状に形成されており、その端部３１１ｓｋが、ケーシング側閉塞部１１１ｓに設けられた切欠部１１１ｓｋに嵌合可能に構成されている。
【００３６】
開閉羽根１３が閉状態で、高温時に、ダンパ軸１２、開閉羽根１３が熱膨張により軸方向に伸びた場合であっても、端部３１１ｓｈが切欠部１１１ｓｈに嵌合し、端部３１１ｓｋが切欠部１１１ｓｋに嵌合するので、ダンパ軸１２や開閉羽根１３の伸び分だけケーシング側閉塞部１１１ｓに嵌入することで、この伸び分の影響を低減することができる。
【００３７】
図１２（ａ）は開閉羽根が閉状態の防火ダンパの部分拡大側面図であり、図１２（ｂ）は図１２（ａ）のＢ−Ｂ線に沿った断面図である。
図１２に示すように、開閉羽根１３の端部（回転軸の軸方向に沿ったケーシング側端部）には、羽根側閉塞部３１１ｓが設けられている。
【００３８】
＜通常時（通常温度）＞
通常温度では、開閉羽根１３が閉状態の場合、ケーシング１１の内面の平坦部１１ｇと、羽根側閉塞部３１１ｓの端部（ケーシング側端部）との間に、所定の長さの間隔が設けられている。この間隔の長さは、開閉羽根の長手方向（軸方向）の伸びと同じ、又はそれよりも僅かに長くなるように規定されている。なお、この間隔は、ケーシング側閉塞部１１１ｓの薄板部分の厚みを考慮して僅かに短くてもよい。
また、ケーシングの内面の平坦部から突起した部分、つまり、ケーシング側閉塞部１１１ｓの長さ（Ｘ方向の長さ）は、上記ケーシング１１の内面の平坦部と、羽根側閉塞部３１１ｓの端部（ケーシング側端部）との間の間隔よりも僅かに長く形成されるように規定されている。
つまり、図１３に示すように、ケーシング側閉塞部１１１ｓと、羽根側閉塞部３１１ｓとが一部分重なるように配置される。
すなわち、ケーシング側閉塞部１１１ｓと羽根側閉塞部３１１ｓとが一部分重なっているので、ケーシング１１内の流体（気体（空気等）や液体等）の流れを遮断することができる。
詳細には、図１３（ａ）に示す例では、開閉羽根１３が閉状態の場合、羽根側閉塞部３１１ｓの先端の一部分が、ケーシング１１に設けられたケーシング側閉塞部１１１ｓに当接するように、羽根側閉塞部３１１ｓとケーシング側閉塞部１１１ｓが形成されている。
【００３９】
＜熱膨張時（高温時）＞
熱膨張時（高温時）では、回転軸であるダンパ軸１２や開閉羽根１３が熱膨張によりＸ軸方向に伸び、図１３（ｂ）に示すように、羽根側閉塞部３１１ｓ先端部が、ケーシング１１の内面の平坦部１１ｇに当接するように、又は僅かに間隔があくように、各構成要素が構成されている。
【００４０】
また、開閉羽根１３に設けられた羽根側閉塞部３１１ｓは、図１３に示すように、開閉羽根１３の端部（ケーシング側端部）に設けられ、ケーシング側閉塞部１１１ｓの幅（Ｙ軸方向に沿った幅）の約半分の長さだけ延出したのち、ケーシング１１の内面に向かって屈曲し所定の長さだけ延出した形状に形成されている。
【００４１】
図１３（ａ）に示すように、通常時（通常温度の状態（室温等））の場合、開閉羽根１３は熱膨張を考慮して、熱膨張分（伸びＬｃ）と同じ又はそれよりも僅かに長く隙間ＣＬが設けられている。
すなわち、高温時、ダンパ軸（回転軸）やダンパ軸（回転軸）に設けられた開閉羽根が熱膨張により、開閉羽根やダンパ軸の長手方向（Ｘ方向）に沿って伸びた場合であっても、伸び分の影響を低減することができる。
【００４２】
図１３（ｂ）に示す例では、高熱状態では、羽根やダンパ軸としての回転軸が、熱膨張により羽根の長手方向（軸方向）に沿って（詳細には図１３（ａ）のＸ軸に沿って右から左へ）へ伸びる。
すなわち、高温時に、開閉羽根１３やダンパ軸１２（回転軸）が軸方向に熱膨張した場合であっても、開閉羽根１３が閉状態で、ケーシング側閉塞部１１１ｓと、羽根側閉塞部３１１ｓにより確実にケーシング１１内の流体の流れを遮断することができる。
【００４３】
以上、説明したように、本発明の一実施形態に係る防火ダンパは、筒形状のケーシング１１と、ケーシング１１に設けられたダンパ軸１２と、ダンパ軸１２に設けられ、ダンパ軸１２の回転に応じてケーシング１１内の流路を開閉自在な開閉羽根１３と、開閉羽根１３開状態から閉状態とする駆動部１４（駆動装置）と、を有する。ダンパ軸１２は、当該ダンパ軸１２の一方の端部が、前記ケーシング１１に設けられた軸受部材１５に遊嵌するとともに回転自在に支持されている。また、通常温度（設定温度よりも低い温度、室温等）の場合に、閉状態の開閉羽根１３の一方の端部とケーシング１１の内面との間に隙間ＣＬが設けられている。
例えば、防火ダンパ１０は、閉状態の開閉羽根１３の一方の端部とケーシング１１の内面との間の隙間ＣＬを塞ぐように、ケーシング１１の内面に閉塞部１１ｓが設けられている。
すなわち、通常温度（室温等）の場合、開閉羽根１３が閉状態のとき、閉塞部１１ｓにより、閉状態の開閉羽根１３の一方の端部とケーシング１１の内面との間の隙間ＣＬを塞ぐように構成されているので、簡単な構成で、優れた遮炎性、遮煙性、耐火性を有する防火ダンパ１０を提供することができる。
また、高温時、回転軸としてのダンパ軸１２が熱膨張により軸方向に伸びた場合であっても、ケーシング１１の内面（閉塞部１１ｓが設けられている内面付近）に設けられている軸受部材１５により、ダンパ軸１２が回転自在に遊嵌しており、且つ軸方向に摺動自在に支持されているので、ダンパ軸１２の熱膨張による伸び分を吸収することができる。
また、高温時には、開閉羽根１３やダンパ軸１２が熱膨張により軸方向（ダンパ軸の軸方向）に伸びた場合であっても、開閉羽根１３の端部（ケーシング側の端部）は、ケーシング１１の内面に近づくことで、開閉羽根１３の熱膨張による伸び分を吸収することができる。また、防火ダンパ１０は、高温時であっても、閉塞部１１ｓにより、閉状態の開閉羽根１３の一方の端部とケーシング１１の内面との間の隙間を塞ぐように構成されているので、優れた遮炎性、遮煙性、耐火性を有する。
【００４４】
また、閉塞部１１ｓ（羽根ストッパー）は、閉塞部１１ｓの本体部が、ダンパ軸１２とダンパ軸１２の間に、一直線上に配置され、ダンパ軸近傍の端部が、ダンパ軸１２から離間する方向に、且つ閉塞部１１ｓの本体部の長軸方向に対して傾斜するように、屈曲する屈曲部（１１ｓａ，１１ｓｂ）を有する。本実施形態では、屈曲部１１ｓａと屈曲部１１ｓｂは互いに反対方向に屈曲するように規定されている。
すなわち、閉塞部１１ｓ（羽根ストッパー）が屈曲部（１１ｓａ，１１ｓｂ）を有するので、室温よりも高温時、例えば、想定される使用環境の最大温度時等、閉塞部１１ｓが熱膨張した場合であっても、閉塞部１１ｓがダンパ軸１２に接触することなく、閉塞部１１ｓにより隙間ＣＬを確実に閉塞することができる。
【００４５】
また、防火ダンパ１０Ａは、閉状態の開閉羽根１３の一方の端部（軸方向に沿ったケーシング側端部）とケーシング１１の内面との間の隙間ＣＬを塞ぐように、ケーシング１１の内面に閉塞部（ケーシング側閉塞部１１１ｓ）が設けられ、又は／及び開閉羽根１３の一方の端部に、閉塞部（羽根側閉塞部３１１ｓ）が設けられていてもよい。詳細には、閉状態の開閉羽根１３の一方の端部（軸方向に沿ったケーシング側端部）は、ダンパ軸を回転自在に遊嵌している軸受部材が設けられているケーシング付近の端部である。
また、防火ダンパ１０Ａは、上記ケーシング側閉塞部１１１ｓ、上記羽根側閉塞部３１１ｓのいずれか一方だけを備えていてもよい。すなわち、簡単な構成で、優れた遮炎性、遮煙性、耐火性を有する防火ダンパ１０を提供することができる。
【００４６】
上記隙間ＣＬは、例えば、想定される使用環境の最大温度（例えば１１００℃程度）における、熱膨張による、開閉羽根の軸方向の長さの伸びＬｃと同じ又は前記伸びＬｃよりも僅かに長く設定されていることが好ましい。すなわち、高温状態で、防火ダンパの開閉羽根１３やダンパ軸１２が熱膨張した場合であっても、優れた遮炎性、遮煙性、耐火性を有する防火ダンパ１０を提供することができる。
【００４７】
また、本発明の実施形態に係る防火ダンパのケーシングは、断面矩形状、断面円形状等の任意の形状であってもよい。開閉羽根等は、閉状態の場合、ケーシング内の流体の流れを遮断するようにケーシングに対応した形状に形成されていることが好ましい。すなわち、本発明に係る防火ダンパを断面矩形状、断面円形状等の任意の形状の防火ダンパに適用することができる。
【００４８】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【符号の説明】
【００４９】
１０…防火ダンパ（耐火性防火ダンパ等）
１１…ケーシング
１１ｋ…検査口
１１ｓ…閉塞部
１１ｓａ，１１ｓｂ…屈曲部
１２…ダンパ軸
１３…開閉羽根（羽根）
１４…駆動部（駆動装置）
１５…軸受部材
１６…連結部材
１７…温度ヒューズ
１１０…規制部材（羽根ストッパー）
１１１ｓ…ケーシング側閉塞部（第１の閉塞部）
３１１ｓ…羽根側閉塞部（第２の閉塞部）
ＣＬ…隙間（クリアランス）
Ｌｃ…開閉羽根の長手方向（軸方向）の伸び
【図１】
2020109333.tif 000003
【図２】
2020109333.tif 000004
【図３】
2020109333.tif 000005
【図４】
2020109333.tif 000006
【図５】
2020109333.tif 000007
【図６】
2020109333.tif 000008
【図７】
2020109333.tif 000009
【図８】
2020109333.tif 000010
【図９】
2020109333.tif 000011
【図１０】
2020109333.tif 000012
【図１１】
2020109333.tif 000013
【図１２】
2020109333.tif 000014
【図１３】
2020109333.tif 000015